(57)【要約】  波力発電所であって、・プラットフォーム（２）の前端（７）から後端（８）に延びる少なくとも１つの長手ケーソン（４）を備える半潜水型プラットフォーム（２）であって、このプラットフォーム（２）がその前端（７）に、ケーソン（４）の下縁（９）よりも下で長手方向に広がる安定舵板（１２）を有し、その後端（８）に、ケーソン（４）と一体化した浮遊梁（１１）を有する、半潜水型プラットフォーム；・プラットフォーム（２）に取り付けられた波力機械（３）であって、・プラットフォーム（２）の前端でケーソン（４）上に横断方向に取り付けられた横材（１７）、・波浪のエネルギーを機械エネルギーに変換できるように配置された少なくとも１つの浮体物（１８）であって、横材（１７）と一体化した軸（２１）に回転式に取り付けられたアーム（２０）に取り付けられる、浮体物（１８）、・浮体物（１８）の機械エネルギーを水力エネルギーに変換する変換器（２３）、を備える波力機械、を備える波力発電所。【選択図】図１
2017500491.tif 000002
【特許請求の範囲】
【請求項１】
波力発電所であって、
−プラットフォーム（２）の前端（７）から後端（８）に延びる少なくとも１つの長手ケーソン（４）を備える半潜水型プラットフォーム（２）であって、該プラットフォーム（２）がその後端（８）に、前記ケーソン（４）と一体化した横断方向の浮遊梁（１１）を有する、半潜水型プラットフォーム；
−前記プラットフォーム（２）に取り付けられた波力機械（３）であって、
・前記プラットフォーム（２）の前端で前記ケーソン（４）上に横断方向に取り付けられた横材（１７）、
・波浪のエネルギーを機械エネルギーに変換できるように配置された少なくとも１つの浮体物（１８）であって、前記横材（１７）と一体化した軸（２１）に回転式に取り付けられたアーム（２０）に取り付けられる、浮体物（１８）、
・前記浮体物（１８）の機械エネルギーを水力エネルギーに変換する変換器（２３）、
・前記ケーソン（４）の下縁（９）よりも下で横断方向に延広がる安定舵板（１２）
を備えることを特徴とする、機械（３）、
を備える、波力発電所（１）。
【請求項２】
前記梁（１１）は、長手断面が円形の輪郭である、請求項１に記載の波力発電所（１）。
【請求項３】
前記梁（１１）は、前記ケーソン（４）の約半分の高さの所に延びている、請求項１または２に記載の波力発電所（１）。
【請求項４】
各ケーソン（４）は、後端（８）に、拡大しかつ／または盛り上がった端部を有する、請求項１〜３のうちいずれか一項に記載の波力発電所（１）。
【請求項５】
前記横材（１７）は、前記舵板（１２）の真上に延びている、請求項１〜４のうちいずれか一項に記載の波力発電所（１）。
【請求項６】
各変換器（２３）は、反対方向に機能する一対のジャッキ（２４）を備え、該ジャッキのピストン（２７）は前記アーム（２０）に連結している、請求項１〜５のうちいずれか一項に記載の波力発電所（１）。
【請求項７】
各アーム（２０）は剛性である、請求項１〜６のうちいずれか一項に記載の波力発電所（１）。
【請求項８】
各アームは、前記浮体物（１８）と固く一体化している、請求項１〜７のうちいずれか一項に記載の波力発電所（１）。
【請求項９】
各浮体物（１８）は、前記浮体物（１８）の船底形部（２９）の下に固定された樋形状の流体力学的付属物（３０）を備える、請求項１〜８のうちいずれか一項に記載の波力発電所（１）。
【請求項１０】
中央水路（６）を画成する少なくとも２つの長手ケーソン（４）を備え、前記水路内で前記浮体物（１８）は配置され、前記水路内で前記横材（１７）は前記ケーソン（４）の間に横断方向に取り付けられ、前記水路内で前記浮遊梁（１１）は前記ケーソン（４）を横断方向に結合する、請求項１〜９のうちいずれか一項に記載の波力発電所（１）。
【発明の詳細な説明】
【技術分野】
【０００１】
本発明は、エネルギー生成分野に関し、さらに詳細には、波浪のエネルギーから電気エネルギーを生成する分野に関する。
【０００２】
本発明は、波力発電所であって、プラットフォームおよびこのプラットフォームに取り付けられた波力機械を装備され、この波力機械が浮体物を装備され、この浮体物が波浪に従って（この波浪は浮体物を水平に押す力もかける）上昇または下降する動きが水力エネルギーに変換され、この水力エネルギーが今度は、発電装置に接続している水力モータ、または水力発電タービンを用いて電気エネルギーに変換される、波力発電所に関する。
【背景技術】
【０００３】
この種の波力発電所は、とりわけ特許文献１（Ｓｅａ  Ｐｏｗｅｒ  Ｌｔｄ）により知られている。この発電所は、アームを介して互いに関節連結した２つの浮体物（本文献では浮き橋と称されている）を備え、この浮体物は、波浪の垂直な動きに追従し、互いの回転によって機械エネルギーを生成するように設計されている。
【０００４】
この設計は欠点なしでは機能しない。特に、発電所は、水が浮体物の舳先部にかける横方向の圧力によって引き起こされる傾斜の影響を受けやすい。この圧力は、発電所の全長にわたって一定ではない。また、傾斜は、関節連結アーム内に、機械的疲労による構造劣化を加速する性質のねじれ応力を発生させる。海が荒れている場合、破損するリスクはゼロではない。１つの対策が、アームの寸法を修正して硬直性を増大させることだが、アームの慣性が増してしまい、発電所のエネルギー効率が犠牲になる。
【先行技術文献】
【特許文献】
【０００５】
【特許文献１】米国特許第２０１３／０６７９０３号明細書
【発明の概要】
【発明が解決しようとする課題】
【０００６】
第１の目的は、エネルギー効率の高い波力発電所を提供することである。
【０００７】
第２の目的は、特に傾斜に対する安定性が高い波力発電所を提供することである。
【０００８】
第３の目的は、小型性に優れ、とりわけ剛性および製造費の点で有利な波力発電所を提供することである。
【０００９】
第４の目的は、メンテナンス作業が最小になるように信頼性の高い波力発電所を提供することである。
【課題を解決するための手段】
【００１０】
そのために、波力発電所であって、
−プラットフォームの前端から後端に延びる少なくとも１つの長手ケーソンを備える半潜水型プラットフォームであって、該プラットフォームがその前端に、ケーソンの下縁よりも下で長手方向に広がる安定舵板を有し、その後端に、ケーソンと一体化した横断方向の浮遊梁を有する、半潜水型プラットフォーム；
−プラットフォームに取り付けられた波力機械であって、
・プラットフォームの前端でケーソン上に横断方向に取り付けられた横材、
・波浪のエネルギーを機械エネルギーに変換できるように配置された少なくとも１つの浮体物であって、横材と一体化した軸に回転式に取り付けられたアームに取り付けられる浮体物、
・浮体物の機械エネルギーを水力エネルギーに変換する変換器を備える、機械を備える、波力発電所を提供する。
【００１１】
この設計により、浮体物および浮遊梁は、逆方向に揺れるように動くことができ、アームの角度行程を（よって発電所の効率も）最大にする。
【００１２】
以下の様々な特徴を単独でまたは組み合わせて備えることができる。
−梁は、長手断面が円形の輪郭である；
−梁は、ケーソンの約半分の高さの所で延びている；
−そのケーソンまたは各ケーソンは、後端に、拡大しかつ／または盛り上がった端部を有する；
−横材は、舵板の真上に延びている；
−各変換器は、例えば反対方向に、好ましくは引っ張る機能を有する一対のジャッキを備え、そのピストンはアームに連結している；
−各アームは剛性である；
−各アームは、浮体物と固く一体化している；
−各浮体物は、浮体物の船底形部の下に固定された樋形状の流体力学的付属物を備える；
−波力発電所は、中央水路を画成する少なくとも２つの長手ケーソンを備え、この水路内で浮体物は配置され、この水路内で横材はケーソンの間に横断方向に取り付けられ、この水路内で浮遊梁はケーソンを横断方向に結合する。
【００１３】
本発明のその他の目的および利点は、添付の図面を参照して以下に記載した一実施形態についての説明文に照らし合わせることで明らかになるだろう。
【図面の簡単な説明】
【００１４】
【図１】波力発電所の斜視図である。
【図２】図１の波力発電所の上面図である。
【図３】発電所を構成するエネルギー変換器を示す概略図である。
【図４】切断面ＩＶ−ＩＶに沿った図２の発電所の断面図である。
【図５】切断面Ｖ−Ｖに沿った図２の発電所のケーソンを示す詳細断面図である。
【図６】切断面ＶＩ−ＶＩに沿った図２の発電所の浮体物を示す詳細断面図である。
【図７】図６と同様の図であり、浮体物に流体力学的付属物が装備されている一実施変形例による浮体物を示す図である。
【図８】一実施変形例による発電所を示す詳細側面図である。
【図９】図８と同様の図であり、別の実施変形例による発電所を示す図である。
【図１０】図１と同様の図であり、さらに別の実施変形例による発電所を示す図である。
【発明を実施するための形態】
【００１５】
図１に波力発電所１を示している。海上に設置されるようになっているこの発電所１は、半潜水型プラットフォーム２およびプラットフォーム２に取り付けられた波力機械３を備えている。
【００１６】
半潜水型プラットフォーム２は、複数の長い浮体ケーソン４が装備されていて、このケーソンは、発電所１が海上にあるとき、波浪が伝播する主な方向（図２の左にある矢印で表示）に相当する長手方向に沿ってほぼ平行に配置される。
【００１７】
図示した例では、ケーソン４は２つで、平行六面体の形態であり、断面が正方形または（図示したように）長方形で、好ましくは高さが厚みよりも大きい。ケーソン４は、中実または空洞のある側壁５を備え、この側壁は共同で、プラットフォーム２の前端７（図１、２および４の左）から後端８（図１、２および４の右）まで広がる中央の水路６を画成する。
【００１８】
ケーソン４の側壁５があることにより、海水は、波浪が伝播する主な方向に沿って水路６に誘導され、これによってプラットフォーム２のローリングの動き（または傾斜）を制限する。
【００１９】
各ケーソン４は、長手上縁９およびこれに対向している長手下縁１０を備え、（波があっても）海が静かであまり荒れていない場合、上縁は水面から出ていて下縁は水面下にある。
【００２０】
各ケーソン４は、好ましくは中空であり、金属（例えば腐食防止処理済みの鋼鉄）製、複合材料製、または剛性が十分で曲げ力にも腐食にも耐性のあるその他のあらゆる材料からなる板を組み立てて作製される。各ケーソン４は、長手面でも（とりわけケーソンが波の山部の頂から突出して広がっているとき、またはケーソンが両端部で２つの連続する波の山部によって持ち上げられているとき）横断面でも（とりわけ局所的な渦があった場合）曲げ応力によりよく抵抗するように、内部リブによって硬化されてよい。
【００２１】
さらに、各ケーソン４を区切ってバラストを形成でき、このバラストに少なくとも部分的に海水を充填するか排水して水線を調整できる。バラストの充填および排水は、好ましくは自動的に作動するポンプによって実現されてよい。この調整は、好ましくは、水線がケーソン４のほぼ中央にあるように、換言すれば、喫水およびケーソン４の乾舷がほぼ同一になるように実現される。
【００２２】
図１、２および４に示した一実施形態によれば、各ケーソン４は、後端８に、（図２で特によくわかるように）拡大しかつ／または（図４で特によくわかるように）盛り上がった端部を有する。このようにすると、ケーソン４内に閉じ込められる空気の量が多くなり、プラットフォーム２の浮力はその後端８で局所的に増大する。
【００２３】
図１、２および４からわかるように、プラットフォーム２は、その後端８に、ケーソン４と一体化した浮遊梁１１を備え、この梁は、ケーソンどうしを連結して横断方向に延びている。ケーソン４を連結して横架材となり、プラットフォーム２を補強する機能のほかに、梁１１は、後端８を海面に恒久的に維持するための浮体の機能を果たす。換言すれば、図４でよくわかるように、後端８は波浪（この図に破線で表示）に追従する。
【００２４】
梁１１は、長手断面（図４）がどのような形状であってもよいが、浮体の機能を最適にするためには、長手断面が円形であることが好ましい。したがって、図示した例では、梁１１は、中空の管状で、断面が円形である。梁１１の垂直方向の位置付けは、プラットフォーム２の設計に適応され、特にケーソン４の形状に適応され、図示した例では、梁１１は、ケーソン４の約半分の高さの所に延びている。
【００２５】
プラットフォーム２は、海上では通常恒久的に水面下にある少なくとも１つの安定舵板１２をさらに備え、この舵板１２は、ケーソン４の下縁１０よりも下でプラットフォーム２の前端まで横断方向に広がっている。
【００２６】
前端の舵板１２は、プラットフォーム２の長さの一部（通常はこの長さの１／５から１／１０）のみにわたって広がっている。
【００２７】
舵板１２は、ほぼ平坦で、ケーソン４の長手下縁１０に平行で、かつこの長手下縁に対向している上面（ｆａｃｅ  ｓｕｐｅｒｉｅｕｒｅ）１３または上面（ｅｘｔｒａｄｏｓ）、および下面（ｆａｃｅ  ｉｎｆｅｒｉｅｕｒｅ）または下面（ｉｎｔｒａｄｏｓ）１４を備え、この下面を介して、プラットフォーム２と一体化したカテナリ１５を用いてプラットフォーム２を海底に固定できる。カテナリ１５を舵板１２に固定することにより、プラットフォーム２を自動的に波浪に対面させて向けることができ、応力はプラットフォームの軸に印加され、カテナリ１５を連続的に張った状態にする。
【００２８】
図１から推測されるように、舵板１２は、横断面がＵ字型で、ケーソン４の下縁１０から垂直な延長上に延びている２つの側面１６を有し、それによって上面１３は、ケーソン４の下縁１０から距離を置いて広がり、ケーソン４の下に位置している舵板１２は、波浪の作用を受けない十分な深さで常に水面下にある。
【００２９】
その結果、舵板１２の上にできる水柱の重みによってプラットフォーム２の平衡の安定を維持し、この水柱が、プラットフォーム２の動き、とりわけローリングの動き（または傾斜）を減衰する役割を果たす。舵板１２の緩衝機能と、カテナリ１５を用いてプラットフォーム２を固定する機能とを合わせた効果により、プラットフォーム２の前端７は波浪の影響をそれほど受けなくなり、平衡をほぼ一定に維持する。
【００３０】
逆に、後端８は、ケーソン４の後端端部が浮遊するのに加えて梁１１が浮遊することによって、波浪に追従する。したがって、波浪は、舵板１２の中央の横断線とほぼ一致する軸を中心に後端８が揺れる動きをプラットフォーム２に引き起こす。
【００３１】
波力機械３は、プラットフォーム２上でその前端７に、例えば舵板８の真上に取り付けられる。機械３は、第一に、ケーソン４に取り付けられた横材１７を備え、この横材は、ケーソンどうしの間に横断方向に延び、ケーソンの上縁９の方でケーソンどうしを結合する。
【００３２】
波力機械３は、第二に、波浪のエネルギーを機械エネルギーに変換できるように、前端７と後端８との間の水路内に可動式に取り付けられた少なくとも１つの浮体物１８を備える。図１、２および４に示した好適な一実施形態によれば、機械３は、水路６内に横に並べて配置された横一列の浮体物１８を備えている。
【００３３】
図示した例では、浮体物１８の数は４つ、すなわち、水路６の縁でケーソン４に隣接する一対の横側の浮体物１８、および水路６の中央で横側の浮体物１８の間に取り付けられた一対の中央の浮体物１８である。変形例では、浮体物１８の数はこれよりも多くてよい。
【００３４】
各浮体物１８は、船体のような形材であることが好ましく、そのようにするために、プラットフォーム２の前端７の方を向いた舳先部１９を有する。図４に見えているように、各浮体物１８は、舵板１２よりも上で後端８の方向に延びている。
【００３５】
各浮体物１８は、剛性で肘形の剛性アーム２０に取り付けられ、このアームは、横材１７と一体化した軸２１に回転式に取り付けられる。軸２１は、全アーム２０に共通であることが好ましい。各アームは、軸２１から後端８の方向へ延びている。
【００３６】
図示していない一実施形態によれば、各浮体物１８は、アーム２０に対して関節連結されてもよい。そのようにすると、各浮体物１８は、そのアーム２０の角度位置とは無関係に波浪に任せて縦揺れする。
【００３７】
しかし、好適な実施形態によれば、浮体物１８とそのアーム２０との間の連結は、嵌め込み式である。換言すれば、アーム２０は浮体物１８と固く一体化している。
【００３８】
剛性を高めるため、各浮体物１８とアーム２０との接合は、山形鋼２２を用いて補強されてもよい。プラットフォームに対する浮体物１８の向きがアーム２０の回転角度のみに左右されるこの構成では、浮体物１８とそのアーム２０との間の接合部で摩擦による損失を被ることがないため、機械３のエネルギー効率がよくなる。
【００３９】
横材１７は、発電所１の機材を収容して保護する技術的な場所を形成し、とりわけ波浪の機械エネルギーを水力エネルギーに変換し、その後水力エネルギーを電気エネルギーに変換するために、十分に余裕をもって寸法を決定することが好ましい。
【００４０】
そのために機械３は、第三に、各浮体物１８に対し、機械エネルギーを水力エネルギーに変換する変換器２３を備えている。この変換器２３は、少なくとも１つのジャッキ２４を備え、ジャッキは、作動液で満たされたチャンバ２６を画成しているシリンダ２５と、チャンバ２６内をスライドするように取り付けられてアーム２０に連結しているピストン２７とを有する。
【００４１】
さらに具体的には、図３に示したように、ピストン２７は、アーム２０の回転軸２１と一体化した車輪２８に連結していて、その結果、車輪の回転が、波浪による浮体物１８の上下運動によって引き起こされ、ピストン２７が引っ張られる動き（図３の大きい右矢印の方向）とバネの作用によって圧縮される動き（図３の小さい右矢印の方向）とが交互に起こる。
【００４２】
機械部品の疲労を制限するために、ジャッキ２４は、好ましくは単動型で、ピストン２７が引っ張られているときのみに流体が圧縮されるように（かつ、アキュムレータに格納されている可能性のある発電タービンに接続されている外部流体回路内に流入するように）配置される。
【００４３】
図示した例では、各変換器２３は一対のジャッキ２４を備え、このジャッキは、対向して（かつ２つとも引っ張られた状態で）動作し、そのピストン２７は車輪２８に連結され、その結果、アーム２０が揺れるたびに、各々のピストン２７に交互に引っ張り力がかかり、これによって波浪のエネルギーは、浮体物１８が上昇するときも下降するときも回収されるほか、波浪によって水平に押されることで起こり得る動きがあるときも回収される。
【００４４】
全浮体物１８のピストン２７に同時にかかった引っ張り力が、プラットフォーム２に印加される全体的なトルクに変わって、プラットフォームをアーム２０の軸２１周りに揺らそうとするのを避けるため、波力機械３には、例えばエネルギー変換器２３とアーム２０との間に介在するトルクインバータの形態で、力の均衡を保つシステムを装備してもよい。
【００４５】
発電所１は、浮体物１８の重心（アーム２０を浮体物１８に固定する点の真上にあることが好ましい）は、発電所１が設置される海上領域での波浪の平均波長の約半分に相当する距離を梁１１から置いた所にくるように配置されることが好ましい。したがって、例えば、平均波長が１５０ｍの波浪の場合、梁１１から浮体物１８の重心までの距離が約７５ｍになるように注意する。
【００４６】
そのようにすると、ケーソン１８および（後端８を駆動する）梁１１は、逆方向に交互に動かされ、その振幅は、波浪の底部から頂点までの垂直方向の距離に相当する。梁１１が波の底部にあるとき、浮体物１８は次の波の頂点にあることが図４からわかる。逆に、梁１１が波の頂点にあるとき、浮体物は波の底部にある。このように位相が逆になることで、アーム２０のプラットフォーム２に対する回転運動の角度振幅を最大にできる。
【００４７】
構想を様々に工夫して、発電所１の機能性を最適にできる。
【００４８】
特に、図５に示したように、各ケーソン４の下縁１０は、Ｖ字型の輪郭であってもよく、そのようにしてケーソン４の水中への進入を改善し、波浪によって引き起こされるケーソンに対する屈曲力を最小にする。
【００４９】
同じように、各浮体物１８は、横断面（図６）が平坦ではなくＶ字型の輪郭でなっている船底方部２９を有し、そのようにして浮体物１８の水中への進入を改善する。
【００５０】
このほか、各浮体物１８には、浮体物１８の変位振幅およびアーム２０がその回転軸２１にかけるトルク値を増大させるための流体力学的付属物３０を装備してもよい。
【００５１】
図７に示した一実施形態によれば、流体力学的付属物３０は、樋の形態をしていて、浮体物１８の船底形部２９の下に、（図示した例では）直接あるいは（図示していない）横架材を介して固定される。図７からさらによくわかるように、樋３０の幅は浮体物１８の幅よりも大きく、その側面の縁は浮体物１８の側壁から間隔をあけている。この構成から以下のようになる。
−  波浪が浮体物１８を通過する断面を局所的に制限し、これによって水位を上げ、それによって波浪の振幅を増大させる（よって浮体物が動く振幅を増大させる）と同時に、
−  舳先部１９側で、浮体物１８の見かけの前方の面積を増大させ（よって抵抗係数を増大させ）、これによって水がかける前方への圧力を増大し、それによって各浮体物１８がそのアーム２０の回転軸２１にかけるエンジントルクを増大する。
【００５２】
このように、各浮体物１８により、波浪によって起こる浮遊力、および波の前方の圧力から生じる力の総量を回収できる。
【００５３】
上述した発電所１の設計からいくつかの利点が得られる。
【００５４】
第一に、すでに述べたように、プラットフォーム２の後端８に、波浪の平均波長の約半分に相当する浮体物１８からの距離を置いた所に浮遊梁１１があることにより、アームが揺れる動きの角度振幅を最大にできる。それによって波浪エネルギーの回収が増し、その結果、エネルギー効率が上がる。
【００５５】
第二に、ケーソン４は、プラットフォーム２の傾斜（よって発電所１の傾斜も）の発生に対抗する効果的な障壁を共に形成し、これによって波浪を効果的に水路６内に誘導でき、それによって浮体物１８の機能性を最適化できる。このほか、浮体物１８は、このようにして、その軸２１周りに正しく回転するのを妨げるおそれのある横断力から保護される。そのため、発電所１の横断方向の安定性が増大し、発電所の信頼性がさらに高まる。
【００５６】
第三に、プラットフォーム２の前端７と後端８との間にケーソンを取り付けることで、発電所１が確実に小型化し（よって剛性がさらに高まり）、これによってとりわけ製造費を最小に抑えることが可能になる。
【００５７】
複数の発電所１を、波と同一線上に一列に配置するか長手方向に（すなわち波浪の方向に）ずらして配置して連結することも検討可能であることに注意されたい。
【００５８】
本発明の範囲を逸脱しない限り、様々な変形例を検討できる。
【００５９】
そのため、図８に発電所１の一変形例を示した。この変形例では、安定舵板１２は、ケーソン４に対して、さらに具体的には側面１６に対して、中央軸３１周りに関節連結式に取り付けられる。
【００６０】
この関節連結により、プラットフォーム２が浮遊梁１１に動かされて波浪に任せて回動していても、舵板１２をほぼ水平にとどめておくことができる。
【００６１】
それによって、舵板１２はそれ自体の揺れには抵抗しなくなるため、プラットフォーム２が一層回動しやすくなる。
【００６２】
このほか、同じく図８からわかるように、舵板１２は、カウンターウェイト３２を備えていてもよく、このカウンターウェイトは、下面１４の下に突出して設けられ、竜骨の役割を果たして舵板１２の平衡を保つ。
【００６３】
前段の変形例と組み合わせることができる別の実施変形例によれば、各浮体物１８は、船底形状の代わりに、軸方向の（つまりプラットフォーム２の長軸に平行な）拡張を制限する筒形状になっているため、船底形状の浮体物が波浪の通過によって受けるよりも屈曲力を受ける影響が少なくなる（あるいは全くなくなる）。
【００６４】
図１０に示したさらに別の実施変形例によれば、プラットフォーム２は、中央に配置されて浮遊している単一のケーソン４を備え、このケーソンの両側には、浮体物１８、横材１７、安定舵板１２および浮遊梁１１が分散され、浮遊梁は、後端８でケーソン４と一体化したままである。ケーソン４の形状は、抵抗および機械的剛性を目的として（横断方向に測定した）厚みが大きいことが好ましい点を除いて、全体的に変わっていない。
【００６５】
図示した浮体物１８の数（この場合は８）は、実施例に対応しているが、この数はこれよりも少なくてもよいし（中央ケーソン４の両側に分散させた２つまで）多くてもよい。
【図１】
2017500491.tif 000003
【図２】
2017500491.tif 000004
【図３】
2017500491.tif 000005
【図４】
2017500491.tif 000006
【図５】
2017500491.tif 000007
【図６】
2017500491.tif 000008
【図７】
2017500491.tif 000009
【図８】
2017500491.tif 000010
【図９】
2017500491.tif 000011
【図１０】
2017500491.tif 000012
【国際調査報告】
2017500491.tif 000013
2017500491.tif 000014
2017500491.tif 000015
2017500491.tif 000016
2017500491.tif 000017